(57)【特許請求の範囲】
【請求項１】
予め記録されているアドレスに同期されてディジタルデータが記録されるプリフォーマットされた記録媒体において、
上記アドレスの少なくとも一部が所定の変換規則に基づいて変換されて記録され、上記所定の変換規則に基づいて変換されているアドレスが記録されている領域を示す情報が記録されている
記録媒体。
【請求項２】
予め記録されているアドレスに同期されてディジタルデータが記録されるプリフォーマットされた記録媒体において、
上記アドレスの少なくとも一部が所定の変換規則に基づいて変換されて記録され、上記所定の変換規則は、アドレスを降べき順に記録するものである
記録媒体。
【請求項３】
予め記録されているアドレスに同期されてディジタルデータが記録されるプリフォーマットされた記録媒体において、
上記アドレスの少なくとも一部が所定の変換規則に基づいて変換されて記録され、上記所定の変換規則は、変換の対象となる全てのアドレスが同一ビット数で表される場合に、上記変換しようとする全てのアドレスの上記同一ビット数分の情報を書き換えて記録する
記録媒体。
【請求項４】
予め記録されているアドレスに同期されてディジタルデータが記録されるプリフォーマットされた記録媒体において、
上記アドレスの少なくとも一部が所定の変換規則に基づいて変換されて記録され、上記所定の変換規則は、所定の鍵情報を用いてアドレスを変換して記録するものである
記録媒体。
【請求項５】
上記所定の鍵情報が記録されている
請求項４記載の記録媒体。
【請求項６】
予め記録されているアドレスに同期されてディジタルデータが記録されるプリフォーマットされた記録媒体において、
上記アドレスの少なくとも一部が所定の変換規則に基づいて変換されて記録され、上記アドレスは、プリピットとして記録されている
記録媒体。
【請求項７】
予め記録されているアドレスに同期されてディジタルデータが記録されるプリフォーマットされた記録媒体において、
上記アドレスの少なくとも一部が所定の変換規則に基づいて変換されて記録され、上記アドレスは、エンボスマークとして記録されている
記録媒体。
【請求項８】
予め記録されているアドレスに同期されてディジタルデータが記録されるプリフォーマットされた記録媒体のマスタを製造する記録媒体製造装置において、
上記アドレスを発生するアドレス発生手段と、
上記記録媒体のマスタに記録する上記アドレスを含むプリフォーマット信号を発生するプリフォーマット信号発生手段と、
上記所定の変換規則に基づいてアドレスを変換する領域を指定するアドレス変換領域指定手段とを備え、
上記プリフォーマット信号発生手段は、
上記アドレスの少なくとも一部を所定の変換規則に基づいて変換してプリフォーマット信号を発生するものであって、
上記アドレス発生手段から発生されたアドレスと上記アドレス変換領域指定手段により指定された領域とを比較するアドレス比較手段と、
上記アドレス比較手段による比較の結果に基づいて、上記アドレス発生手段から発生されたアドレスを上記所定の変換規則に基づいて変換するアドレス変換手段とを有する
記録媒体製造装置。
【請求項９】
上記アドレス変換手段は、上記アドレス比較手段による比較の結果、上記アドレス発生手段から発生されたアドレスが上記アドレス変換領域指定手段により指定された領域に含まれると判別された場合に、上記アドレス発生手段から発生されたアドレスを上記所定の変換規則に基づいて変換する
請求項８記載の記録媒体製造装置。
【請求項１０】
予め記録されているアドレスに同期されてディジタルデータが記録されるプリフォーマットされた記録媒体のマスタを製造する記録媒体製造装置において、
上記記録媒体のマスタに記録する上記アドレスを含むプリフォーマット信号を発生するプリフォーマット信号発生手段と、
上記所定の変換規則に基づいてアドレスを変換する領域を指定するアドレス変換領域指定手段とを備え、
上記プリフォーマット信号発生手段は、上記アドレスの少なくとも一部を所定の変換規則に基づいて変換して上記プリフォーマット信号を発生するものであって、上記アドレス変換領域指定手段により指定された領域を示す情報を、上記プリフォーマット信号として、上記記録媒体のマスタに記録する
記録媒体製造装置。
【請求項１１】
予め記録されているアドレスに同期されてディジタルデータが記録されるプリフォーマットされた記録媒体のマスタを製造する記録媒体製造装置において、
上記記録媒体のマスタに記録する上記アドレスを含むプリフォーマット信号を発生するプリフォーマット信号発生手段を備え、
上記プリフォーマット信号発生手段は、上記アドレスの少なくとも一部を所定の変換規則に基づいて変換して上記プリフォーマット信号を発生し、
上記所定の変換規則は、上記記録媒体のマスタにアドレスを降べき順に記録するものである
記録媒体製造装置。
【請求項１２】
予め記録されているアドレスに同期されてディジタルデータが記録されるプリフォーマットされた記録媒体のマスタを製造する記録媒体製造装置において、
上記記録媒体のマスタに記録する上記アドレスを含むプリフォーマット信号を発生するプリフォーマット信号発生手段を備え、
上記プリフォーマット信号発生手段は、上記アドレスの少なくとも一部を所定の変換規則に基づいて変換して上記プリフォーマット信号を発生し、
上記所定の変換規則は、変換の対象となる全てのアドレスが同一ビット数で表される場合に、上記変換しようとする全てのアドレスの上記同一ビット数分の情報を書き換えて上記記録媒体のマスタに記録するものである
記録媒体製造装置。
【請求項１３】
予め記録されているアドレスに同期されてディジタルデータが記録されるプリフォーマットされた記録媒体のマスタを製造する記録媒体製造装置において、
上記記録媒体のマスタに記録する上記アドレスを含むプリフォーマット信号を発生するプリフォーマット信号発生手段を備え、
上記プリフォーマット信号発生手段は、上記アドレスの少なくとも一部を所定の変換規則に基づいて変換して上記プリフォーマット信号を発生し、
上記所定の変換規則は、所定の鍵情報を用いてアドレスを変換して上記記録媒体のマスタに記録するものである
記録媒体製造装置。
【請求項１４】
上記所定の鍵情報は、上記記録媒体のマスタに記録される
請求項１３記載の記録媒体製造装置。
【請求項１５】
予め記録されているアドレスに同期されてディジタルデータが記録されるプリフォーマットされた記録媒体のマスタを製造する記録媒体製造装置において、
上記記録媒体のマスタに記録する上記アドレスを含むプリフォーマット信号を発生するプリフォーマット信号発生手段を備え、
上記プリフォーマット信号発生手段は、上記アドレスの少なくとも一部を所定の変換規則に基づいて変換して上記プリフォーマット信号を発生するものであって、上記記録媒体のマスタに上記アドレスをプリピットとして記録する
記録媒体製造装置。
【請求項１６】
予め記録されているアドレスに同期されてディジタルデータが記録されるプリフォーマットされた記録媒体のマスタを製造する記録媒体製造装置において、
上記記録媒体のマスタに記録する上記アドレスを含むプリフォーマット信号を発生するプリフォーマット信号発生手段を備え、
上記プリフォーマット信号発生手段は、上記アドレスの少なくとも一部を所定の変換規則に基づいて変換して上記プリフォーマット信号を発生するものであって、上記プリフォーマット信号発生手段は、上記記録媒体のマスタに上記アドレスをエンボスマークとして記録する
記録媒体製造装置。
【請求項１７】
予め記録されているアドレスに同期されてディジタルデータが記録されるプリフォーマットされた記録媒体のマスタを製造する記録媒体製造方法において、
上記アドレスを発生し、
上記アドレスの少なくとも一部を所定の変換規則に基づいて変換し、上記記録媒体のマスタに記録する上記アドレスを含むプリフォーマット信号を発生し、
上記所定の変換規則に基づいてアドレスを変換する領域を指定し、
発生したアドレスと指定した領域とを比較し、
この比較の結果に基づいて、上記発生したアドレスを上記所定の変換規則に基づいて変換する
記録媒体製造方法。
【請求項１８】
上記発生したアドレスと上記指定した領域とを比較した結果、上記発生したアドレスが上記指定した領域に含まれると判別された場合に、上記発生したアドレスを上記所定の変換規則に基づいて変換する
請求項１７記載の記録媒体製造方法。
【請求項１９】
予め記録されているアドレスに同期されてディジタルデータが記録されるプリフォーマットされた記録媒体のマスタを製造する記録媒体製造方法において、
上記アドレスの少なくとも一部を所定の変換規則に基づいて変換し、上記記録媒体のマスタに記録する上記アドレスを含むプリフォーマット信号を発生し、
上記所定の変換規則に基づいてアドレスを変換する領域を指定した領域を示す情報を、上記プリフォーマット信号として、上記記録媒体のマスタに記録する
記録媒体製造方法。
【請求項２０】
予め記録されているアドレスに同期されてディジタルデータが記録されるプリフォーマットされた記録媒体のマスタを製造する記録媒体製造方法において、
上記アドレスの少なくとも一部を所定の変換規則に基づいて変換し、上記記録媒体のマスタに記録する上記アドレスを含むプリフォーマット信号を発生し、
上記所定の変換規則は、上記記録媒体のマスタにアドレスを降べき順に記録するものである
記録媒体製造方法。
【請求項２１】
予め記録されているアドレスに同期されてディジタルデータが記録されるプリフォーマットされた記録媒体のマスタを製造する記録媒体製造方法において、
上記アドレスの少なくとも一部を所定の変換規則に基づいて変換し、上記記録媒体のマスタに記録する上記アドレスを含むプリフォーマット信号を発生し、
上記所定の変換規則は、変換の対象となる全てのアドレスが同一ビット数で表される場合に、上記変換しようとする全てのアドレスの上記同一ビット数分の情報を書き換えて上記記録媒体のマスタに記録するものである
記録媒体製造方法。
【請求項２２】
予め記録されているアドレスに同期されてディジタルデータが記録されるプリフォーマットされた記録媒体のマスタを製造する記録媒体製造方法において、
上記アドレスの少なくとも一部を所定の変換規則に基づいて変換し、上記記録媒体のマスタに記録する上記アドレスを含むプリフォーマット信号を発生し、
上記所定の変換規則は、所定の鍵情報を用いてアドレスを変換して上記記録媒体のマスタに記録するものである
記録媒体製造方法。
【請求項２３】
上記所定の鍵情報は、上記記録媒体のマスタに記録される
請求項２２記載の記録媒体製造方法。
【請求項２４】
予め記録されているアドレスに同期されてディジタルデータが記録されるプリフォーマットされた記録媒体のマスタを製造する記録媒体製造方法において、
上記アドレスの少なくとも一部を所定の変換規則に基づいて変換し、上記記録媒体のマスタに記録する上記アドレスを含むプリフォーマット信号を発生し、
上記記録媒体のマスタに上記アドレスをプリピットとして記録する
記録媒体製造方法。
【請求項２５】
予め記録されているアドレスに同期されてディジタルデータが記録されるプリフォーマットされた記録媒体のマスタを製造する記録媒体製造方法において、
上記アドレスの少なくとも一部を所定の変換規則に基づいて変換し、上記記録媒体のマスタに記録する上記アドレスを含むプリフォーマット信号を発生し、
上記記録媒体のマスタに上記アドレスをエンボスマークとして記録する
記録媒体製造方法。
【請求項２６】
予め記録されているアドレスに同期されてディジタルデータが記録されるプリフォーマットされた記録媒体に上記ディジタルデータを記録するデータ記録装置において、
上記ディジタルデータを発生するデータ発生手段と、
上記記録媒体に記録する記録信号を発生する記録信号発生手段を備え、
上記記録信号発生手段は、
上記アドレスの少なくとも一部が所定の変換規則に基づいて変換されて記録されている上記記録媒体の領域を検出するとともに、この領域の変換されているアドレスをデコードし、デコードされたアドレスにしたがって、上記記録信号を発生するものであって、
上記記録媒体から読み出した信号から、上記アドレスを再生するアドレス再生手段と、
上記記録媒体から読み出した信号から、上記所定の変換規則に基づいて変換されて記録されている上記記録媒体の領域を検出して読み取るアドレス変換領域読取手段と、
上記アドレス再生手段により再生されたアドレスの情報をデコードするアドレスデコード手段と、
上記データ発生手段から発生されたディジタルデータのアドレスと、上記アドレスデコード手段によりデコードされたアドレスとを比較するアドレス比較手段とを有する
データ記録装置。
【請求項２７】
上記アドレスデコード手段は、上記アドレス再生手段により再生されたアドレスの情報が、上記所定の変換規則に基づいてアドレスが変換されて記録されている上記記録媒体の領域の範囲内からのものである場合には、上記アドレス再生手段により再生されたアドレスの情報に上記所定の変換規則に応じたデコード処理を施す
請求項２６記載のデータ記録装置。
【請求項２８】
上記記録信号発生手段は、上記アドレス比較手段による比較の結果、上記データ発生手段から発生されたディジタルデータのアドレスと、上記アドレスデコード手段によりデコードされたアドレスとが対応するものであると判別された場合に、上記記録信号を発生する
請求項２６記載のデータ記録装置。
【請求項２９】
予め記録されているアドレスに同期されてディジタルデータが記録されるプリフォーマットされた記録媒体に上記ディジタルデータを記録するデータ記録装置において、
上記記録媒体に記録する記録信号を発生する記録信号発生手段を備え、
上記記録信号発生手段は、上記アドレスの少なくとも一部が所定の変換規則に基づいて変換されて記録されている上記記録媒体の領域を検出するとともに、この領域の変換されているアドレスをデコードし、デコードされたアドレスにしたがって、上記記録信号を発生し、
上記所定の変換規則は、上記記録媒体にアドレスを降べき順に記録するものである
データ記録装置。
【請求項３０】
予め記録されているアドレスに同期されてディジタルデータが記録されるプリフォーマットされた記録媒体に上記ディジタルデータを記録するデータ記録装置において、
上記記録媒体に記録する記録信号を発生する記録信号発生手段を備え、
上記記録信号発生手段は、上記アドレスの少なくとも一部が所定の変換規則に基づいて変換されて記録されている上記記録媒体の領域を検出するとともに、この領域の変換されているアドレスをデコードし、デコードされたアドレスにしたがって、上記記録信号を発生し、
上記所定の変換規則は、変換の対象となる全てのアドレスが同一ビット数で表される場合に、上記変換しようとする全てのアドレスの上記同一ビット数分の情報を書き換えて上記記録媒体に記録するものである
データ記録装置。
【請求項３１】
予め記録されているアドレスに同期されてディジタルデータが記録されるプリフォーマットされた記録媒体に上記ディジタルデータを記録するデータ記録装置において、
上記記録媒体に記録する記録信号を発生する記録信号発生手段を備え、
上記記録信号発生手段は、上記アドレスの少なくとも一部が所定の変換規則に基づいて変換されて記録されている上記記録媒体の領域を検出するとともに、この領域の変換されているアドレスをデコードし、デコードされたアドレスにしたがって、上記記録信号を発生し、
上記所定の変換規則は、所定の鍵情報を用いてアドレスを変換して上記記録媒体に記録するものである
データ記録装置。
【請求項３２】
上記所定の鍵情報は、上記記録媒体に記録されている
請求項３１記載のデータ記録装置。
【請求項３３】
予め記録されているアドレスに同期されてディジタルデータが記録されるプリフォーマットされた記録媒体に上記ディジタルデータを記録するデータ記録装置において、
上記アドレスは、プリピットとして上記記録媒体に記録されており、
上記記録媒体に記録する記録信号を発生する記録信号発生手段を備え、
上記記録信号発生手段は、上記アドレスの少なくとも一部が所定の変換規則に基づいて変換されて記録されている上記記録媒体の領域を検出するとともに、この領域の変換されているアドレスをデコードし、デコードされたアドレスにしたがって、上記記録信号を発生する
データ記録装置。
【請求項３４】
予め記録されているアドレスに同期されてディジタルデータが記録されるプリフォーマットされた記録媒体に上記ディジタルデータを記録するデータ記録装置において、
上記アドレスは、エンボスマークとして上記記録媒体に記録されており、
上記記録媒体に記録する記録信号を発生する記録信号発生手段を備え、
上記記録信号発生手段は、上記アドレスの少なくとも一部が所定の変換規則に基づいて変換されて記録されている上記記録媒体の領域を検出するとともに、この領域の変換されているアドレスをデコードし、デコードされたアドレスにしたがって、上記記録信号を発生する
データ記録装置。
【請求項３５】
予め記録されているアドレスに同期されてディジタルデータが記録されるプリフォーマットされた記録媒体に上記ディジタルデータを記録するデータ記録方法において、
上記ディジタルデータを発生し、
上記記録媒体から読み出した信号から、上記アドレスを再生するとともに、上記アドレスの少なくとも一部が所定の変換規則に基づいて変換されて記録されている上記記録媒体の領域を検出して読み取り、
再生したアドレスの情報をデコードし、
発生したディジタルデータのアドレスと、デコードしたアドレスとを比較し、
デコードされたアドレスにしたがって、上記記録媒体に記録する記録信号を発生する
データ記録方法。
【請求項３６】
上記再生したアドレスの情報が、上記所定の変換規則に基づいてアドレスが変換されて記録されている上記記録媒体の領域の範囲内からのものである場合には、上記再生したアドレスの情報に上記所定の変換規則に応じたデコード処理を施す
請求項３５記載のデータ記録方法。
【請求項３７】
上記発生したディジタルデータのアドレスと、上記デコードしたアドレスとを比較した結果、上記発生したディジタルデータのアドレスと、上記デコードしたアドレスとが対応するものであると判別された場合に、上記記録信号を発生する
請求項３５記載のデータ記録方法。
【請求項３８】
予め記録されているアドレスに同期されてディジタルデータが記録されるプリフォーマットされた記録媒体に上記ディジタルデータを記録するデータ記録方法において、
上記アドレスの少なくとも一部が所定の変換規則に基づいて変換されて記録されている上記記録媒体の領域を検出するとともに、この領域の変換されているアドレスをデコードし、デコードされたアドレスにしたがって、上記記録媒体に記録する記録信号を発生し、
上記所定の変換規則は、上記記録媒体にアドレスを降べき順に記録するものである
データ記録方法。
【請求項３９】
予め記録されているアドレスに同期されてディジタルデータが記録されるプリフォーマットされた記録媒体に上記ディジタルデータを記録するデータ記録方法において、
上記アドレスの少なくとも一部が所定の変換規則に基づいて変換されて記録されている上記記録媒体の領域を検出するとともに、この領域の変換されているアドレスをデコードし、デコードされたアドレスにしたがって、上記記録媒体に記録する記録信号を発生し、
上記所定の変換規則は、変換の対象となる全てのアドレスが同一ビット数で表される場合に、上記変換しようとする全てのアドレスの上記同一ビット数分の情報を書き換えて上記記録媒体に記録するものである
データ記録方法。
【請求項４０】
予め記録されているアドレスに同期されてディジタルデータが記録されるプリフォーマットされた記録媒体に上記ディジタルデータを記録するデータ記録方法において、
上記アドレスの少なくとも一部が所定の変換規則に基づいて変換されて記録されている上記記録媒体の領域を検出するとともに、この領域の変換されているアドレスをデコードし、デコードされたアドレスにしたがって、上記記録媒体に記録する記録信号を発生し、
上記所定の変換規則は、所定の鍵情報を用いてアドレスを変換して上記記録媒体に記録するものである
データ記録方法。
【請求項４１】
上記所定の鍵情報は、上記記録媒体に記録されている
請求項４０記載のデータ記録方法。
【請求項４２】
予め記録されているアドレスに同期されてディジタルデータが記録されるプリフォーマットされた記録媒体に上記ディジタルデータを記録するデータ記録方法において、
上記アドレスは、プリピットとして上記記録媒体に記録されており、
上記アドレスの少なくとも一部が所定の変換規則に基づいて変換されて記録されている上記記録媒体の領域を検出するとともに、この領域の変換されているアドレスをデコードし、デコードされたアドレスにしたがって、上記記録媒体に記録する記録信号を発生する
データ記録方法。
【請求項４３】
予め記録されているアドレスに同期されてディジタルデータが記録されるプリフォーマットされた記録媒体に上記ディジタルデータを記録するデータ記録方法において、
上記アドレスは、エンボスマークとして上記記録媒体に記録されており、
上記アドレスの少なくとも一部が所定の変換規則に基づいて変換されて記録されている上記記録媒体の領域を検出するとともに、この領域の変換されているアドレスをデコードし、デコードされたアドレスにしたがって、上記記録媒体に記録する記録信号を発生する
データ記録方法。
【発明の詳細な説明】
【０００１】
【発明の属する技術分野】
本発明は、予め記録されているアドレスに同期されてディジタルデータが記録される記録媒体に関する。また、本発明は、予め記録されているアドレスに同期されてディジタルデータが記録される記録媒体のマスタを製造する記録媒体製造装置及び記録媒体製造方法に関する。さらに、本発明は、予め記録されているアドレスに同期されてディジタルデータが記録される記録媒体にディジタルデータを記録するデータ記録装置及びデータ記録方法に関する。
【０００２】
【従来の技術】
例えば高画質のディジタルビデオ信号等のディジタルデータを光学的に記録した記録媒体として、再生専用であるＤＶＤ（Digital Versatile Disc 又は Digital Video Disc）が広く知られている。また最近では、このＤＶＤフォーマットを用いて、追記や書き換えを可能とした記録媒体として、ＤＶＤ−Ｒ（DVD-Recordable）、ＤＶＤ−ＲＷ（DVD-ReWritable）、ＤＶＤ−ＲＡＭ（DVD-Random Access Memory）の商品化や開発が進められている。
【０００３】
これらの記録媒体においては、従来のＣＤ（Compact Disc）を応用した記録媒体であるＣＤ−Ｒ（CD-Recordable）やＣＤ−ＲＷ（CD-ReWritable）、或いは、ＭＯ（Magneto Optical）と同様に、アドレスがインクリメントされながら順次グルーブやプリピットに記録されている。
【０００４】
【発明が解決しようとする課題】
ところで、上述した記録媒体において、メインデータが未記録の生ディスクであるブランクディスクは、アドレスが確定的に決定されている。そのため、このような記録媒体を用いて、ビットバイビットの違法コピーや特定のアドレスに記録されている著作権情報等の重要なデータが改竄される危険性があった。
【０００５】
本発明は、このような実情に鑑みてなされたものであり、従来の記録媒体における問題を解決し、違法コピーやデータの不法な改竄を防止することが可能な記録媒体を提供することを目的とするものである。また、本発明は、このような記録媒体のマスタを製造する記録媒体製造装置及び記録媒体製造方法を提供することを目的とするものである。さらに、本発明は、このような記録媒体にデータを記録するデータ記録装置及びデータ記録方法を提供することを目的とするものである。
【０００６】
【課題を解決するための手段】
上述した目的を達成する本発明にかかる記録媒体は、予め記録されているアドレスに同期されてディジタルデータが記録されるプリフォーマットされた記録媒体において、アドレスの少なくとも一部が所定の変換規則に基づいて変換されて記録されていることを特徴としている。
【０００７】
このような本発明にかかる記録媒体は、所定の変換規則に基づいて変換されたアドレスを記録する。
【０００８】
また、上述した目的を達成する本発明にかかる記録媒体製造装置は、予め記録されているアドレスに同期されてディジタルデータが記録されるプリフォーマットされた記録媒体のマスタを製造する記録媒体製造装置において、記録媒体のマスタに記録するアドレスを含むプリフォーマット信号を発生するプリフォーマット信号発生手段を備え、このプリフォーマット信号発生手段は、アドレスの少なくとも一部を所定の変換規則に基づいて変換してプリフォーマット信号を発生することを特徴としている。
【０００９】
このような本発明にかかる記録媒体製造装置は、プリフォーマット信号発生手段によって、記録媒体のマスタに記録するアドレスの少なくとも一部を所定の変換規則に基づいて変換してプリフォーマット信号を発生する。
【００１０】
さらに、上述した目的を達成する本発明にかかる記録媒体製造方法は、予め記録されているアドレスに同期されてディジタルデータが記録されるプリフォーマットされた記録媒体のマスタを製造する記録媒体製造方法において、アドレスの少なくとも一部を所定の変換規則に基づいて変換し、記録媒体のマスタに記録するアドレスを含むプリフォーマット信号を発生することを特徴としている。
【００１１】
このような本発明にかかる記録媒体製造方法は、記録媒体のマスタに記録するアドレスの少なくとも一部を所定の変換規則に基づいて変換してプリフォーマット信号を発生する。
【００１２】
さらにまた、上述した目的を達成する本発明にかかるデータ記録装置は、予め記録されているアドレスに同期されてディジタルデータが記録されるプリフォーマットされた記録媒体にディジタルデータを記録するデータ記録装置において、記録媒体に記録する記録信号を発生する記録信号発生手段を備え、この記録信号発生手段は、アドレスの少なくとも一部が所定の変換規則に基づいて変換されて記録されている記録媒体の領域を検出するとともに、この領域の変換されているアドレスをデコードし、デコードされたアドレスにしたがって、記録信号を発生することを特徴としている。
【００１３】
このような本発明にかかるデータ記録装置は、記録信号発生手段によって、アドレスの少なくとも一部が所定の変換規則に基づいて変換されて記録されている記録媒体の領域を検出するとともに、この領域の変換されているアドレスをデコードし、デコードされたアドレスにしたがって、記録信号を発生する。
【００１４】
また、上述した目的を達成する本発明にかかるデータ記録方法は、予め記録されているアドレスに同期されてディジタルデータが記録されるプリフォーマットされた記録媒体にディジタルデータを記録するデータ記録方法において、アドレスの少なくとも一部が所定の変換規則に基づいて変換されて記録されている記録媒体の領域を検出するとともに、この領域の変換されているアドレスをデコードし、デコードされたアドレスにしたがって、記録媒体に記録する記録信号を発生することを特徴としている。
【００１５】
このような本発明にかかるデータ記録方法は、アドレスの少なくとも一部が所定の変換規則に基づいて変換されて記録されている記録媒体の領域を検出するとともに、この領域の変換されているアドレスをデコードし、デコードされたアドレスにしたがって、記録信号を発生する。
【００１６】
【発明の実施の形態】
以下、本発明を適用した具体的な実施の形態について図面を参照しながら詳細に説明する。
【００１７】
本発明を適用した実施の形態は、いわゆるＤＶＤ（Digital Versatile Disc 又は Digital Video Disc）フォーマットを用いて、追記や書き換えを可能とした記録媒体であるＤＶＤ−Ｒ（DVD-Recordable）、ＤＶＤ−ＲＷ（DVD-ReWritable）、ＤＶＤ−ＲＡＭ（DVD-Random Access Memory）や、ＣＤ（Compact Disc）を応用した記録媒体であるＣＤ−Ｒ（CD-Recordable）、ＣＤ−ＲＷ（CD-ReWritable）といったデータが未記録の生ディスクであるブランクディスクであるディスク状記録媒体と、これらのディスク状記録媒体のマスタを製造する記録媒体製造装置であるマスタリング装置と、これらのディスク状記録媒体にデータを記録するデータ記録装置である。
【００１８】
実施の形態として図１に示すディスク状記録媒体１は、メインデータの記録領域２と、内周部に位置するいわゆるリードイン領域（lead in）３と、外周部に位置するいわゆるリードアウト（lead out）領域４とが設けられている。また、領域５は、ディスク状記録媒体１上の任意の領域であり、例えば、記録領域２の開始部分を含む所定の領域である。また、領域５は、リードイン領域３及び／又はリードアウト領域４を包含してもしなくてもよいものである。この領域５には、例えば、データの再生に必須となる制御情報、著作権情報、暗号化されているデータを復号するための情報等が記録されるものとする。さらに、ディスク状記録媒体１には、領域５を示す情報がいずれかの領域に記録されている。
【００１９】
ここで、ＤＶＤフォーマットにおけるデータのブロック構造について説明する。ＤＶＤフォーマットにおけるデータのブロック構造は、例えば図２に示すように、２０６４バイト×１６セクタ＝３３０２４バイトのデータに対して、行方向のＰＩ、列方向のＰＯという２つのエラー訂正符号が加えられ、いわゆる積符号の構成となる。ＰＩは、（１８２，１７２，１１）リード・ソロモン符号であり、ＰＯは、（２０８，１９２，１７）リード・ソロモン符号である。ＤＶＤにおいては、このように形成されるブロックにおけるＰＯを各セクタに１バイトずつ分割することで、図３に示すように、記録セクタが１６セクタ形成される。
【００２０】
１つの記録セクタは、一部にセクタアドレスが記録されている４バイトのＩＤと、ＩＤのエラーチェックコードである２バイトのＩＥＣと、制御情報である６バイトのＲＳＶと、２０４８バイトのメインデータと、エラーチェックコードである４バイトのＥＤＣと、１２０バイトのＰＩと、１８２バイトのＰＯとからなる。なお、１８２バイトのＰＯのうち、同図中斜線部に示す１０バイト分は、ＰＩとしても使用可能なものである。
【００２１】
ＤＶＤにおいては、このようなデータが８−１６変調され、さらに同期信号が付加されてディスク状記録媒体のピット上に記録される。
【００２２】
上述したＤＶＤ−Ｒ、ＤＶＤ−ＲＷ、ＤＶＤ−ＲＡＭは、基本的に、このようなＤＶＤフォーマットに準拠する形式で、有機色素の熱記録やいわゆるフェーズチェンジの結晶相／アモルファス相としてデータがディスク状記録媒体に記録される。ＤＶＤ−Ｒ及びＤＶＤ−ＲＷにおけるディスク状記録媒体の物理構造は、図４に示すように、約１４０ｋＨｚでウォブリングされたグルーブと、アドレスがプリピットとして記録されたランドプリピット（ＬＰＰ）とが交互に設けられたものであり、グルーブにデータがピット状に形成される。また、ＤＶＤ−ＲＡＭにおけるディスク状記録媒体の物理構造は、図５に示すように、約１６０ｋＨｚでウォブリングされたグルーブと、ランドとが交互に設けられ、アドレスがエンボスマークとして記録されたヘッダがさらに設けられたものであり、グルーブ及びランドにデータがピット状に形成される。
【００２３】
一方、上述したＣＤと互換性のあるＣＤ−ＲやＣＤ−ＲＷにおけるディスク状記録媒体の物理構造は、図６に示すように、約２２ｋＨｚでウォブリングされたプリグルーブと、ランドとが交互に設けられ、アドレスがプリグルーブ自体にＦＭ変調（Frequency Modulation）されたいわゆるＡＴＩＰ（Absolute Time In Pre-groove）として記録されたものであり、プリグルーブにデータがピット状に形成される。
【００２４】
このようなディスク状記録媒体には、２０ビット乃至６４ビットのアドレスが所定の順序で順次記録されている。なお、これらのディスク状記録媒体は、全てのアドレスがシリアルな順序で記録されるのではなく、トラックナンバーとセクタナンバーとが分離されているものや、分、秒及びフレーム番号に分離されているものがあるが、所定の規則でインクリメントしているとみなすことができる。
【００２５】
なお以下では、図４乃至図６に示したように、ディスク状記録媒体のプリピットやエンボスマーク、プリグルーブに予め記録されている、すなわち、プリフォーマット時に記録されるアドレスと、セクタアドレスやブロックアドレスといったデータのアドレスとを区別するために、必要に応じて、前者をプリアドレス、後者をポストアドレスと便宜的に称するものとする。
【００２６】
さて、上述したディスク状記録媒体１は、後述するマスタリング装置によって、通常の場合には所定の順序で記録されるべきプリアドレスを、領域５といった少なくとも所定の領域のみについて、予め決められた所定の変換規則に基づいて変換されて記録される。すなわち、ディスク状記録媒体１においては、領域５におけるプリアドレスがインクリメントされながら順次グルーブやプリピットに記録されるのではなく、所定の変換規則に基づいて変換されて記録される。
【００２７】
ここで、所定の変換規則とは、例えば、セクタ１２８（００００００００１０００００００）乃至セクタ３２７６７（０１１１１１１１１１１１１１１１）を領域５とすると、以下のような方法によるものがある。
【００２８】
まず第１の方法としては、１２８，１２９，１３０，・・・，３２７６６，３２７６７とインクリメントされながら順次記録されるべきセクタアドレスを、降べき順に記録するものがある。すなわち、ディスク状記録媒体１には、領域５のセクタアドレスが、３２７６７，３２７６６，・・・，１３０，１２９，１２８とデクリメントされながら順次記録される。
【００２９】
また第２の方法としては、セクタアドレスが１２８，１２９，１３０，・・・，３２７６６，３２７６７のように、全てのセクタアドレスが１５ビットの情報で表される場合に適用されるものであって、１６ビット分の情報の全てを変換するのではなく、下位１５ビット分の情報を任意の方法により書き換えるものがある。なお、常に下位１５ビット分の情報を書き換えるのではなく、変換の対象となる全アドレスが１６ビット未満の任意のビット数で表される場合には、そのビット数分の情報のみを書き換えるようにしてもよい。ディスク状記録媒体１には、セクタアドレス１２８，１２９，１３０，・・・，３２７６６，３２７６７がそれぞれ書き換えられた情報が領域５に記録される。
【００３０】
さらに第３の方法としては、１６ビットのＭ系列を発生させ、セクタアドレス１２８，１２９，１３０，・・・，３２７６６，３２７６７にそれぞれ足し込むものがある。この１６ビットのＭ系列の生成多項式は、例えば、
ｇ（ｘ）＝ｘ16＋ｘ12＋ｘ5＋１
と表される。ディスク状記録媒体１においては、Ｍ系列の最初のデータは、変換されたアドレスを解読するための秘密鍵とされる。ディスク状記録媒体１には、セクタアドレス１２８，１２９，１３０，・・・，３２７６６，３２７６７がそれぞれ変換された情報が領域５に記録される。
【００３１】
さらにまた第４の方法としては、セクタアドレス１２８，１２９，１３０，・・・，３２７６６，３２７６７を、それぞれ、ＤＥＳ（Data Encryption Standard）等により暗号化するものがある。ＤＥＳにおいては、５６ビットのデータを暗号化の鍵として用いる。そこで、ディスク状記録媒体１においては、セクタアドレス１２８，１２９，１３０，・・・，３２７６６，３２７６７のそれぞれに所定のビット列を足し込み、鍵を生成する。ディスク状記録媒体１には、セクタアドレス１２８，１２９，１３０，・・・，３２７６６，３２７６７がそれぞれ変換された情報が領域５に記録される。
【００３２】
なお、ディスク状記録媒体１には、暗号化の鍵を例えばセクタ１２７といったアドレスの所定エリアに記録されてもよい。また、後述するデータ記録装置によって、メインデータを含むデータをその所定エリアに記録した場合には、そのデータセクタ中に暗号化の鍵を記録するようにしてもよい。さらに、暗号化の鍵は、その全て又は一部を、ディスク状記録媒体１を製造するメーカのコードやディスク状記録媒体１のＩＤで代用されてもよい。
【００３３】
このようなディスク状記録媒体１は、図７に示すような手順により製造される。すなわち、レジスト塗布工程１１では、ガラス基板に感光物質であるフォトレジストを塗布し、カッティング工程１２では、フォトレジストが塗布された基板にレーザカッティングを行う。このカッティング工程１２では、先に図４乃至図６に示したように、ディスク状記録媒体１の種類に応じたプリフォーマットを行う。その際、基板には、プリアドレスが記録されるが、上述した所定の変換規則に基づいて変換されたプリアドレスを記録するためのプリフォーマット信号にしたがって、基板のレーザカッティングが行われる。そして、現像・定着工程１３では、レーザカッティングされた基板に現像処理及び定着処理を施し、金属原盤製造工程１４では、基板の表面に電解メッキを施すことで金属原盤を製造する。この一連の工程は、後述するマスタリング装置により行われ、金属原盤、すなわち、ディスク状記録媒体１のマスタが製造される。
【００３４】
続いて、スタンパ工程１５及び基板形成工程１６では、マスタを用いてスタンパを作成し、ポリカーボネート（ＰＣ）やアクリル等の光学的に透明な樹脂の基板が形成される。続いて、反射膜形成工程１７では、形成された透明樹脂の基板にスパッタリングにより反射膜の形成を行う。このスパッタリングの際のターゲットとしては、記録可能な特殊な反射膜を形成するための材料が用いられる。例えば、ＡｒやＡｌを主成分とする記録材料であって、通常のＣＤやＤＶＤの反射膜と同程度の反射率若しくは通常の光学ヘッドで読み出すことが可能な反射率を有し、再生レーザパワーよりも大きなパワーのレーザ照射により反射率が変化するような特殊な反射膜を形成できる材料が用いられる。そして、保護膜塗布工程１８では、スピンコートにより保護膜が塗布形成される。
【００３５】
このように、ディスク状記録媒体１においては、マスタリング装置によりマスタが製造され、このマスタを用いてスタンパが作成されてブランクディスクが製造される。以下、マスタリング装置について説明する。
【００３６】
実施の形態として示すマスタリング装置２０は、図８に示すように、例えばＡｒイオンレーザ、Ｈｅ−ＣｄレーザやＫｒイオンレーザ等のガスレーザや半導体レーザであるレーザ２１と、このレーザ２１から出射されたレーザ光を、後述するプリフォーマット信号発生器２５からの信号に基づいて変調（オン／オフ）する光変調器２２と、この光変調器２２を通過したレーザ光を集光し、フォトレジストが塗布された基板２９のフォトレジスト面に照射する対物レンズやミラー等を有する光学ピックアップ２３と、この光学ピックアップ２３を基板２９との距離が一定に保つようにトラッキングさせたり、後述するスピンドルモータ２８の回転駆動動作を制御するためのサーボ回路２４と、後述するアドレスデータ発生器２６からのアドレスデータと、後述するアドレス変換領域指定部２７により指定された領域とに基づいて、基板２９に記録するプリフォーマット信号を発生し、光変調器２２をオン／オフするプリフォーマット信号発生器２５と、アドレスデータを発生するアドレスデータ発生器２６と、プリアドレスを変換する領域、すなわち、上述した領域５を指定するアドレス変換領域指定部２７と、基板２９を回転駆動するスピンドルモータ２８とを備える。
【００３７】
なお、このマスタリング装置２０は、主に上述したカッティング工程１２にて使用されるものであるが、最終的にディスク状記録媒体１のマスタを製造するものであるとし、他の工程にて必要となる各部は、ここでは省略する。
【００３８】
マスタリング装置２０は、プリフォーマット信号発生器２５により発生されたプリフォーマット信号にしたがって、レーザ２１からのレーザ光を光変調器２２により変調する。光変調器２２は、印加電圧により屈折率が変化するＥＯＭ（電気光学変調器）や印加電圧により偏光が変化するＥＯＤ（電気光学偏光器）を有するものである。なお、光変調器２２としては、これらのＥＯＭやＥＯＤの代わりに、圧電素子により媒体中に超音波（粗密波）を発生させるＡＯＭ（音響光学変調器）やＡＯＤ（音響光学偏光器）を用いてもよい。そして、マスタリング装置２０は、この変調されたレーザ光を、スピンドルモータ２８により回転駆動される基板２９に対して光学ピックアップ２３を介して照射することによって、先に図４乃至図６に示したように、ディスク状記録媒体１の種類に応じたプリフォーマットを行い、プリアドレスを記録する。
【００３９】
このようなマスタリング装置２０により基板２９に記録されるプリフォーマット信号は、プリフォーマット信号発生器２５により発生される。プリフォーマット信号発生器２５は、アドレスデータ発生器２６から発生されたアドレスデータとアドレス変換領域指定部２７により指定された領域とを比較するアドレス比較部３１と、プリアドレスを例えば上述した方法により変換するアドレス変換部３２と、プリアドレスを基板２９に記録するために光変調器２２やサーボ回路２４を制御するアドレス記録部３３とを有する。
【００４０】
プリフォーマット信号発生器２５は、アドレスデータ発生器２６から発生されたアドレスデータを入力するとともに、例えばマスタを製造する者によりアドレス変換領域指定部２７を介して指定された領域を示す情報を入力する。この入力された情報は、プリフォーマット信号として、基板２９上のいずれかの領域に記録される。なおここでは、アドレスデータ発生器２６は、アドレスデータを順次インクリメントしながら発生し、プリフォーマット信号発生器２５に出力するものとする。プリフォーマット信号発生器２５は、アドレス比較部３１によって、入力したアドレスデータと指定された領域とを比較し、入力したアドレスデータが指定された領域、すなわち、上述した領域５に含まれるものであるか否かを判別する。
【００４１】
ここで、入力したアドレスデータが指定された領域に含まれない場合には、プリフォーマット信号発生器２５は、入力したアドレスデータをそのままアドレス記録部３３に供給する。
【００４２】
一方、入力したアドレスデータが指定された領域に含まれる場合には、プリフォーマット信号発生器２５は、アドレス変換部３２によって、上述した所定の変換規則に基づいて入力したアドレスデータを変換する。そして、プリフォーマット信号発生器２５は、変換されたプリアドレスの情報をアドレス記録部３３に供給する。
【００４３】
プリフォーマット信号発生器２５は、アドレス記録部３３によって、変換済み又は無変換のプリアドレスに基づいたプリフォーマット信号を発生し、光変調器２２やサーボ回路２４を制御する。
【００４４】
このようにすることによって、マスタリング装置２０は、先に図４乃至図６に示したように、ディスク状記録媒体１の種類に応じてグルーブやランド等を基板２９上に形成しながら、変換済み又は無変換のプリアドレスを所定の位置に記録し、ディスク状記録媒体１のマスタを製造することができる。
【００４５】
このようにして製造されたマスタに基づいて製造されたブランクディスクであるディスク状記録媒体１には、図９に示すデータ記録装置４０によって、例えば、データの再生に必須となる制御情報、著作権情報、暗号化されているデータを復号するための情報等を含むディジタルビデオ信号やディジタルオーディオ信号等のソースデータを記録することができる。
【００４６】
実施の形態として示すデータ記録装置４０は、同図に示すように、例えばＡｒイオンレーザ、Ｈｅ−ＣｄレーザやＫｒイオンレーザ等のガスレーザや半導体レーザであるレーザ４１と、このレーザ４１から出射されたレーザ光を、後述する記録信号発生器４５からの信号に基づいて変調（オン／オフ）する光変調器４２と、この光変調器４２を通過したレーザ光を集光し、ディスク状記録媒体１に照射する対物レンズやミラー等を有する記録用光学ピックアップ４３と、例えばＨｅ−Ｎｅレーザ等のガスレーザ又は半導体レーザである図示しないレーザからのレーザ光をディスク状記録媒体１に照射するための光学系等を有する再生用光学ピックアップ４４と、記録用光学ピックアップ４３及び再生用光学ピックアップ４４をディスク状記録媒体１との距離が一定に保つようにトラッキングさせたり、後述するスピンドルモータ４９の回転駆動動作を制御するためのサーボ回路４５と、後述するソースデータ発生器４７からのソースデータと、後述するサブコード発生器４８からのサブコードとに基づいて、ディスク状記録媒体１に記録する記録信号を発生し、光変調器４２をオン／オフする記録信号発生器４６と、ソースデータを発生するソースデータ発生器４７と、いわゆるサブコードを発生するサブコード発生器４８と、ディスク状記録媒体１を回転駆動するスピンドルモータ４９とを備える。
【００４７】
データ記録装置４０は、記録信号発生器４６によって、再生用光学ピックアップ４４を介して読み出されたプリアドレスの情報に基づいてディスク状記録媒体１に記録されているプリアドレスの変換を検出し、記録信号を発生する。データ記録装置４０は、この記録信号にしたがって、レーザ４１からのレーザ光を光変調器４２により変調する。なお、光変調器４２は、マスタリング装置２０における光変調器２２と同様に、ＥＯＭやＥＯＤ又はＡＯＭやＡＯＤを有するものである。そして、データ記録装置４０は、この変調されたレーザ光を、スピンドルモータ４９により回転駆動されるディスク状記録媒体１に対して記録用光学ピックアップ４３を介して照射することによって、例えばディジタルビデオ信号やディジタルオーディオ信号をディスク状記録媒体１に記録する。
【００４８】
このようなデータ記録装置４０によりディスク状記録媒体１に記録される記録信号は、記録信号発生器４６により発生される。記録信号発生器４６は、ソースデータ発生器４７から発生されたソースデータとサブコード発生器４８から発生されたポストアドレスを含むサブコードとを組み合わせ、ポストアドレスが付加されたデータを生成するアドレス付加部５１と、再生用光学ピックアップ４４を介して読み出された信号から、アドレス情報を再生するアドレス再生部５２と、再生用光学ピックアップ４４を介して読み出された信号から、上述した変換規則に基づいてプリアドレスが変換されている領域、すなわち、上述した領域５を検出して読み取るアドレス変換領域読取部５３と、アドレス再生部５２により再生されたプリアドレスの情報をデコードするアドレスデコード部５４と、アドレス付加部５１から供給されるデータに付加されているポストアドレスと、アドレスデコード部５４によりデコードされたプリアドレスとを比較するアドレス比較部５５と、データをディスク状記録媒体１に記録するために光変調器４２やサーボ回路４５を制御するデータ記録部５６とを有する。
【００４９】
記録信号発生器４６は、ソースデータ発生器４７から発生されたソースデータとサブコード発生器４８から発生されたポストアドレスを含むサブコードとを入力してアドレス付加部５１によりポストアドレスが付加されたデータを生成する。また、記録信号発生器４６は、これと同時に、付加されたポストアドレスに対応するディスク状記録媒体１上の位置に駆動された再生用光学ピックアップ４４によりディスク状記録媒体１から読み出された信号を入力し、アドレス再生部５２によって、読み出された信号からプリアドレスの情報を再生してアドレスデコード部５４に供給するとともに、アドレス変換領域読取部５３によって、読み出された信号から再生用光学ピックアップ４４が位置する領域が上述した領域５の範囲内であるか否かを検出して読み取り、その結果を示す信号をアドレスデコード部５４に供給する。
【００５０】
続いて、記録信号発生器４６は、アドレス付加部５１によりポストアドレスが付加されて生成されたデータをアドレス比較部５５に供給する。また、記録信号発生器４６は、アドレスデコード部５４によって、アドレス再生部５２により再生されたプリアドレスの情報をデコードする。
【００５１】
この際、アドレスデコード部５４は、アドレス変換領域読取部５３からの信号に基づいて、デコード処理を行う。すなわち、アドレスデコード部５４は、アドレス再生部５２から供給されたプリアドレスの情報が領域５の範囲外からのものである場合には、通常のデコード処理を行う。一方、アドレス再生部５２から供給されたプリアドレスの情報が領域５の範囲内からのものである場合には、このプリアドレスの情報が上述した変換規則に基づいて変換されたものであることから、アドレスデコード部５４は、その変換規則に応じたデコード処理を行う。アドレスデコード部５４は、デコードして得られたプリアドレスをアドレス比較部５５に供給する。
【００５２】
続いて、記録信号発生器４６は、アドレス比較部５５によって、アドレス付加部５１から供給されたデータに付加されているポストアドレスと、アドレスデコード部５４から供給されたプリアドレスとを比較し、２つのアドレスが対応するものであるか否かを判別する。
【００５３】
ここで、２つのアドレスが対応しない場合には、記録信号発生器４６は、アドレス比較部５５によって、再生用光学ピックアップ４４によりディスク状記録媒体１上の別の位置から読み出された信号から再生及びデコードされたプリアドレスを比較の対象として再び比較する。
【００５４】
一方、２つのアドレスが対応する場合には、記録信号発生器４６は、アドレス付加部５１から供給されたデータをデータ記録部５６に供給し、このデータ記録部５６によって、記録信号を発生し、光変調器４２やサーボ回路４５を制御する。
【００５５】
このようにすることによって、データ記録装置４０は、記録用光学ピックアップ４３を介してディスク状記録媒体１上の所定の位置にソースデータを記録することができる。
【００５６】
このように、データ記録装置４０は、ディスク状記録媒体１におけるプリアドレスの変換規則を知っており、この変換規則に基づいてソースデータをディスク状記録媒体１に記録することができる。そのため、プリアドレスの変換を知らない不当なデータ記録装置やプリアドレスの変換を無視してデータを記録しようとする不当なデータ記録装置は、ディスク状記録媒体１からプリアドレスを読み取ることができても、インクリメントされた所定のプリアドレスではないため、アドレスエラーとなり、データの記録を中止する必要に迫られる。すなわち、プリアドレスの変換を知っている正当なデータ記録装置４０のみが、データの記録を行うことが可能となる。
【００５７】
また、ディスク状記録媒体１に対するデータの記録時に、データ記録装置に対して、プリアドレスに同期されて記録されるポストアドレスがインクリメントされながら順次入力されるようにし、このポストアドレスと変換されているプリアドレスとの対比をとることによって、図１０に示すように、データの記録開始位置をオフセットして記録しようとする不当なデータ記録装置は、ディスク状記録媒体１にデータを記録することが不可能となる。
【００５８】
例えば、同図（Ａ）に示すように、再生専用のＤＶＤといった通常市販されているようなオリジナルのディスク状記録媒体の記録トラックに記録されているデータを、ＤＶＤ−Ｒ、ＤＶＤ−ＲＷ、ＤＶＤ−ＲＡＭといった異なるディスク状記録媒体の記録トラックにコピーする場合を考える。オリジナルのディスク状記録媒体には、データが暗号化されて記録されており、この暗号化を解読するための情報がコピー禁止領域に記録されているものとする。このような場合、不当なデータ記録装置は、同図（Ｂ）に示すように、暗号化を解読するための情報が記録されるべき領域よりも後の領域にデータの記録開始位置、すなわち、スタートアドレスを設け、アドレスにオフセットを与えることによって、コピー禁止領域を外して違法なコピーを行うことが可能となっている。
【００５９】
しかしながら、ディスク状記録媒体１は、プリアドレスが変換されていることから、このような不当なデータ記録装置がコピー禁止領域を回避してデータをコピーしようとする場合にも、単純なオフセットではコピーを失敗に至らしめることができる。
【００６０】
以上説明してきたように、本発明の実施の形態として示すディスク状記録媒体１は、プリアドレスが変換されていることから、オリジナルのデータを不当なデータ記録装置により記録しようとした場合に、アドレスエラーとなり、データの違法なコピーやデータの不法な改竄を防止することができる。
【００６１】
このようなディスク状記録媒体１は、本発明の実施の形態として示すマスタリング装置２０により製造することができる。マスタリング装置２０は、所定の変換規則に基づいて、プリアドレスを変換し、ディスク状記録媒体１に記録することができる。
【００６２】
さらに、ディスク状記録媒体１には、本発明の実施の形態として示すデータ記録装置４０によりデータを記録することが可能である。データ記録装置４０は、ディスク状記録媒体１に記録されているプリアドレスの変換規則を知っており、この変換規則に基づいて、プリアドレスをデコードし、このプリアドレスに同期させてポストアドレスが付与されたデータをディスク状記録媒体１に記録することができる。
【００６３】
なお、本発明は、上述した実施の形態に限定されるものではなく、例えば、ディスク状記録媒体１として、ＤＶＤ−Ｒ、ＤＶＤ−ＲＷ、ＤＶＤ−ＲＡＭや、ＣＤ−Ｒ、ＣＤ−ＲＷといったデータが未記録のブランクディスクであるものとして説明したが、その他の記録媒体であっても、その種類に拘泥せずに適用することができる。
【００６４】
また、本発明は、所定の変換規則として、上述した第１乃至第４の方法に限定されるものでないことは勿論であり、上述した実施の形態では、セクタアドレス単位で変換するものとして説明したが、ブロックアドレス単位で変換するようにしてもよい。
【００６５】
さらに、上述した領域５としては、ディスク状記録媒体１の一部の領域のみでなくともよく、ディスク状記録媒体１の全領域にわたってもよい。また、ディスク状記録媒体１は、リードイン領域３の一部を通常のプリアドレスとし、それ以外の領域のプリアドレスを変換するようにしてもよく、データの再生に必須となる制御情報、著作権情報、暗号化されているデータを復号するための情報や、スタートアドレスといった重要な情報が記録される領域のみのプリアドレスを変換するようにしてもよい。
【００６６】
このように、本発明は、その趣旨を逸脱しない範囲で適宜変更が可能であることはいうまでもない。
【００６７】
【発明の効果】
以上詳細に説明したように、本発明にかかる記録媒体は、予め記録されているアドレスに同期されてディジタルデータが記録されるプリフォーマットされた記録媒体において、アドレスの少なくとも一部が所定の変換規則に基づいて変換されて記録されている。
【００６８】
したがって、本発明にかかる記録媒体は、所定の変換規則に基づいて変換されたアドレスを記録することによって、ディジタルデータの違法なコピーやディジタルデータの不法な改竄を防止することができる。
【００６９】
また、本発明にかかる記録媒体製造装置は、予め記録されているアドレスに同期されてディジタルデータが記録されるプリフォーマットされた記録媒体のマスタを製造する記録媒体製造装置において、記録媒体のマスタに記録するアドレスを含むプリフォーマット信号を発生するプリフォーマット信号発生手段を備え、このプリフォーマット信号発生手段は、アドレスの少なくとも一部を所定の変換規則に基づいて変換してプリフォーマット信号を発生する。
【００７０】
したがって、本発明にかかる記録媒体製造装置は、プリフォーマット信号発生手段によって、記録媒体のマスタに記録するアドレスの少なくとも一部を所定の変換規則に基づいて変換してプリフォーマット信号を発生することによって、ディジタルデータの違法なコピーやディジタルデータの不法な改竄を防止することが可能な記録媒体のマスタを製造することができる。
【００７１】
さらに、本発明にかかる記録媒体製造方法は、予め記録されているアドレスに同期されてディジタルデータが記録されるプリフォーマットされた記録媒体のマスタを製造する記録媒体製造方法において、アドレスの少なくとも一部を所定の変換規則に基づいて変換し、記録媒体のマスタに記録するアドレスを含むプリフォーマット信号を発生する。
【００７２】
したがって、本発明にかかる記録媒体製造方法は、記録媒体のマスタに記録するアドレスの少なくとも一部を所定の変換規則に基づいて変換してプリフォーマット信号を発生することによって、ディジタルデータの違法なコピーやディジタルデータの不法な改竄を防止することが可能な記録媒体のマスタを製造することができる。
【００７３】
さらにまた、本発明にかかるデータ記録装置は、予め記録されているアドレスに同期されてディジタルデータが記録されるプリフォーマットされた記録媒体にディジタルデータを記録するデータ記録装置において、記録媒体に記録する記録信号を発生する記録信号発生手段を備え、この記録信号発生手段は、アドレスの少なくとも一部が所定の変換規則に基づいて変換されて記録されている記録媒体の領域を検出するとともに、この領域の変換されているアドレスをデコードし、デコードされたアドレスにしたがって、記録信号を発生する。
【００７４】
したがって、本発明にかかるデータ記録装置は、記録信号発生手段によって、アドレスの少なくとも一部が所定の変換規則に基づいて変換されて記録されている記録媒体の領域を検出するとともに、この領域の変換されているアドレスをデコードし、デコードされたアドレスにしたがって、記録信号を発生することによって、ディジタルデータの違法なコピーやディジタルデータの不法な改竄を防止することが可能な記録媒体に対して正当にディジタルデータを記録することができる。
【００７５】
また、本発明にかかるデータ記録方法は、予め記録されているアドレスに同期されてディジタルデータが記録されるプリフォーマットされた記録媒体にディジタルデータを記録するデータ記録方法において、アドレスの少なくとも一部が所定の変換規則に基づいて変換されて記録されている記録媒体の領域を検出するとともに、この領域の変換されているアドレスをデコードし、デコードされたアドレスにしたがって、記録媒体に記録する記録信号を発生する。
【００７６】
したがって、本発明にかかるデータ記録方法は、アドレスの少なくとも一部が所定の変換規則に基づいて変換されて記録されている記録媒体の領域を検出するとともに、この領域の変換されているアドレスをデコードし、デコードされたアドレスにしたがって、記録信号を発生することによって、ディジタルデータの違法なコピーやディジタルデータの不法な改竄を防止することが可能な記録媒体に対して正当にディジタルデータを記録することができる。
【図面の簡単な説明】
【図１】本発明の実施の形態として示すディスク状記録媒体の概略構成を説明する図である。
【図２】ＤＶＤフォーマットにおけるデータのブロック構造を説明する図である。
【図３】記録時におけるセクタ構造を説明する図である。
【図４】ＤＶＤ−Ｒ及びＤＶＤ−ＲＷにおけるディスク状記録媒体の物理構造を説明する図である。
【図５】ＤＶＤ−ＲＡＭにおけるディスク状記録媒体の物理構造を説明する図である。
【図６】ＣＤ−Ｒ及びＣＤ−ＲＷにおけるディスク状記録媒体の物理構造を説明する図である。
【図７】図１に示すディスク状記録媒体の製造手順を説明する図である。
【図８】本発明の実施の形態として示すマスタリング装置の構成を説明するブロック図である。
【図９】本発明の実施の形態として示すデータ記録装置の構成を説明するブロック図である。
【図１０】データの記録開始位置をオフセットして記録する違法コピーを説明する図であって、（Ａ）は、オリジナルのディスク状記録媒体の記録トラックを示す図であり、（Ｂ）は、データをコピーしようとするディスク状記録媒体の記録トラックを示す図である。
【符号の説明】
１  ディスク状記録媒体、  ２  記録領域、  ３  リードイン領域、  ４  リードアウト領域、  ５  領域、  １１  レジスト塗布工程、  １２  カッティング工程、  １３  現像・定着工程、  １４  金属原盤製造工程、  ２０  マスタリング装置、  ２５  プリフォーマット信号発生器、  ２６  アドレスデータ発生器、  ２７  アドレス変換領域指定部、  ２９  基板、  ３１，５５  アドレス比較部、  ３２  アドレス変換部、  ３３  アドレス記録部、  ４０  データ記録装置、  ４６  記録信号発生器、  ４７  ソースデータ発生器、  ４８  サブコード発生器、  ５１  アドレス付加部、  ５２  アドレス再生部、  ５３  アドレス変換領域読取部、  ５４  アドレスデコード部、  ５６  データ記録部
【図１】
0004253944.tif 000002
【図２】
0004253944.tif 000003
【図３】
0004253944.tif 000004
【図４】
0004253944.tif 000005
【図５】
0004253944.tif 000006
【図６】
0004253944.tif 000007
【図７】
0004253944.tif 000008
【図８】
0004253944.tif 000009
【図９】
0004253944.tif 000010
【図１０】
0004253944.tif 000011